(57)【要約】【課題】高周波信号の入力パワーが小さくなっても、入力段で利得の低下が生ぜず、電源効率も低下しない歪補償増幅装置を提供する。【解決手段】本発明の歪補償増幅装置においては、入力信号レベルが第１の閾値ｑ１を超えるような入力パワーが大きいときは、並列に配置された増幅素子ＡＭ１，ＡＭ２のそれぞれに分配器によって入力信号を分配し、分配された入力信号をそれらの増幅素子によって増幅するが、入力パワーが小さく入力信号レベルが第１の閾値を超えないときは、スイッチング素子ＳＷ１〜ＳＷ４は、増幅素子のうちの一つＡＭ１を選択し、選択した増幅素子に対しては、前記分配器をバイパスして入力信号を与えるために、選択された増幅素子の入力段側における利得の低下を除去することができる。また、制御部４４は、選択されなかった増幅素子への電源供給を遮断するので電源消費を低減できる。【選択図】        図１
2004320668.tif 000002
【特許請求の範囲】
【請求項１】
入力信号の信号レベルが第１の閾値を超える場合に、並列に配置された複数の増幅素子のそれぞれに分配器によって入力信号を分配し、分配された入力信号をそれぞれの増幅素子によって増幅する歪補償増幅装置において、
入力信号レベルが第１の閾値を超えないときには、前記複数の増幅素子のうちの一部の増幅素子を選択し、選択した増幅素子に対しては、前記分配器をバイパスして入力信号を与えるために、前記分配器の前段に配置されたスイッチング素子と、
入力信号レベルが第１の閾値を超えないときには、前記選択された増幅素子以外の増幅素子への電源供給を遮断する電源供給制御部とを有することを特徴とする歪補償増幅装置。
【請求項２】
請求項１記載の歪補償増幅装置において、
選択した増幅素子のみを動作させている際に、入力信号レベルが第１の閾値よりも大きな第２の閾値を超えたことを検出したとき、その検出がバースト信号による場合には、スイッチング素子および電源供給制御部の動作を変えず、その検出がバースト信号によらない場合には、入力信号の信号レベルが第１の閾値を超えた場合に戻り、並列に配置された複数の増幅素子のそれぞれに分配器によって入力信号を分配し、分配された入力信号をそれぞれの増幅素子によって増幅する歪補償増幅装置。
【発明の詳細な説明】
【０００１】
【発明の属する技術分野】
本発明は歪補償増幅装置に関し、特に、入力信号の信号レベルが予め定められた閾値を超える場合には、並列に配置された複数の増幅素子のそれぞれに分配器によって入力信号を分配し、分配された入力信号をそれぞれの増幅素子によって増幅する歪補償増幅装置に関する。
【０００２】
【従来の技術】
図７は、基地局および中継装置に用いられる歪補償増幅装置の従来例を示すブロック図である。この歪補償増幅装置は、フィードフォワード型に構成されており、前置部１１０と、歪検出ループ１２０と、歪除去ループ１３０と、制御ループ１４０とを有する。前置部１１０は、前置増幅器１１２から構成されている。歪検出ループ１２０は、方向性結合器１２１，１２４，１２６と、ベクトル調整器１２２と、主増幅器１２３と、遅延ルート１２５とから構成されている。歪除去ループ１３０は、遅延ルート１３１と、方向性結合器１３２と、ベクトル調整器１３３と、誤差増幅器１３４とから構成されている。また、制御ループ１４０は、検波器１４２と、パイロット信号送受信部１４３と、制御部１４４とから構成されている。
【０００３】
前置増幅器１１２は、入力端子ＥＮから入力される高周波信号を後段の処理に適合する所定のレベルまで増幅する。歪検出ループ１２０においては、方向性結合器１２１が高周波信号を２つのルートに分割し、一方は制御部に制御されたベクトル調整器１２２を経て主増幅器１２３に渡され、パイロット信号ａとともに増幅され、方向性結合器１２４に引き渡され、他方は遅延ルート１２５を経由して方向性結合器１２６に引き渡される。方向性結合器１２４は、主増幅器１２３からの出力の大部分を歪除去ループ１３０の遅延ルート１３１に引き渡す。方向性結合器１２６は、方向性結合器１２４からの残りの出力と、遅延ルート１２５からの出力（入力信号のキャリア成分最小の状態）とから雑音およびパイロット信号ａを抽出して歪除去ループ１３０のベクトル調整器１３３に引き渡す。
【０００４】
歪除去ループ１３０において、方向性結合器１２６からの信号は、ベクトル調整器１３３でベクトル調整され、誤差増幅器１３４で増幅された後に、遅延ルート１３１の出力とともに方向性結合器１３２に引き渡される。方向性結合器１３２は、遅延ルート１３１からの高周波信号に含まれている雑音などを、誤差増幅器１３４からの信号を用いて除去し、出力端子ＥＸから出力する。この場合、制御ループ１４０の制御部１４４は、出力端子ＥＸの出力において、パイロット信号送受信部が検出するパイロット信号ａのレベルが最低になるようにベクトル調整器１３３を制御し、また、検波器１４２が検出するキャリアが最小となるようにベクトル調整器を制御する。このような回路構成（図７）によると、図８に示すように、入力パワーが小さくなるに従って、電源効率も低下してしまうという問題がある。
【０００５】
そこで、この問題を解決する従来の技術においては、変調波のレベル変動を検出し、検出した結果により、レベルが低いときには複数の増幅素子のうちの必要な増幅素子のみを動作させるようにしている（例えば、特許文献１参照）。したがって、上述した問題は相当に改良されているが、必要な増幅素子の選択は、入力信号を分配するハイブリットの後段に配置されたスイッチによって行われているので、必要な増幅素子のみを使用している場合にもハイブリットが利得低下をもたらしているという問題がある。
【０００６】
【特許文献１】
特開２００１−２４４７５１号公報
【０００７】
さらに、最近では無線信号としてバースト波を用いての電力制御により消費電力を下げる方式が採用される傾向がある。そのバースト波による無線通信では、通信データの未送信時には無線信号のレベルを抑え、送信時には無線信号のレベルを急激に変化させることによって、通信に使用される消費電力を低減している。バースト波を用いた代表的な無線通信方式の一つであるＨＤＲ（Ｈｉｇｈ  Ｄａｔａ  Ｒａｔｅ）方式では、基地局からの距離が常に変動する端末に対し、下り回線の電力制御は行わずに、送信電力を一定にして、代わりにデータスピードの制御が行われる。ＨＤＲ方式は、基地局からの下り信号に直接拡散方式のＣＤＭＡ（Ｃｏｄｅ  Ｄｉｖｉｓｉｏｎ  Ｍｕｌｔｉｐｌｅ  Ａｃｃｅｓｓ）方式を採用せずに、ＴＤＭＡ方式（Ｔｉｍｅ  Ｄｉｖｉｓｉｏｎ  Ｍｕｌｔｉｐｌｅ  Ａｃｃｅｓｓ）を採用している。ＨＤＲ方式を採用している基地局は受信状態のよい移動局に対し優先的にデータ通信速度を高速化するようにシンボルレートを設定し、当該レートのタイムスロットを各端末に割り当て、信号にはバースト波を採用している。また、ＨＤＲ方式の下り信号では、パケット長は１０２４〜４０９６ｂｉｔ、送信時間は１パケット当たり１．６７〜２６．６７ｍｓの範囲で可変としている。また、バースト波は、ＨＤＲ方式だけでなく、他のデータ通信にも用いられている。しかし、上述した従来例においては、バースト波に対する考慮がなされていないという問題もある。
【０００８】
【発明が解決しようとする課題】
上述した従来の歪補償増幅装置は、増幅すべき高周波信号の入力パワーが小さくなるに従って、電源効率も低下してしまうとか、入力パワーに応じて使用する増幅素子を切り替えている場合も、入力段の分配器による利得の低下が生じているという問題があり、また、入力信号がバースト波である場合についての考慮が欠けているという問題もある。
【０００９】
本発明は、上記の問題を解決するためになされたものであって、高周波信号の入力パワーが小さくなっても、入力段で利得の低下が生ぜず、電源効率も低下せず、入力信号がバースト波である場合にも対応できる歪補償増幅装置を提供することを目的とする。
【００１０】
【課題を解決するための手段】
前述した課題を解決するために、本発明は、入力信号の信号レベルが第１の閾値を超える場合に、並列に配置された複数の増幅素子のそれぞれに分配器によって入力信号を分配し、分配された入力信号をそれぞれの増幅素子によって増幅する歪補償増幅装置において、入力信号レベルが第１の閾値を超えないときには、前記複数の増幅素子のうちの一部の増幅素子を選択し、選択した増幅素子に対しては、前記分配器をバイパスして入力信号を与えるために、前記分配器の前段に配置されたスイッチング素子と、入力信号レベルが第１の閾値を超えないときには、前記選択された増幅素子以外の増幅素子への電源供給を遮断する電源供給制御部とを有する。
【００１１】
このような構成によれば、入力信号レベルが第１の閾値を超えるような入力パワーが大きいときは、並列に配置された複数の増幅素子のそれぞれに分配器によって入力信号を分配し、分配された入力信号をそれぞれの増幅素子によって増幅するが、入力パワーが小さく入力信号レベルが第１の閾値を超えないとき、スイッチング素子は、複数の増幅素子のうちの一つを選択し、選択した増幅素子に対しては、前記分配器をバイパスして入力信号を与えるために、選択された増幅素子の入力段側における利得の低下を除去することができる。また、電源供給制御部は、スイッチング素子によって選択された増幅素子以外の増幅素子への電源供給を遮断するので電源消費を低減できる。
【００１２】
また、本発明において、選択した増幅素子のみを動作させている際に、入力信号レベルが第１の閾値よりも大きな第２の閾値を超えたことを検出したとき、その検出がバースト信号による場合には、スイッチング素子および電源供給制御部の動作を変えず、その検出がバースト信号によらない場合には、入力信号の信号レベルが第１の閾値を超えた場合に戻り、並列に配置された複数の増幅素子のそれぞれに分配器によって入力信号を分配し、分配された入力信号をそれぞれの増幅素子によって増幅する。このことにより、入力信号がバースト信号であった場合にも対応することができる。
【００１３】
【発明の実施の形態】
以下、本発明の実施の形態について添付図面に基づいて説明する。図１は、本発明の歪補償増幅器の実施の形態を示すブロック図、図２は、方向性結合器の構造および特性を説明するための図、図３は、図１の主増幅器を詳細に示すブロック図、図４は、図３で示される主増幅器の動作を説明するためのフローチャート、図５は、図３の主増幅器の入力パワーと出力パワーとの関係、および、入力パワーと電源効率との関係を示すグラフである。
【００１４】
本発明におけるフィードフォワード型の歪補償増幅器は、出力パワー（入力パワー）が大きいときには、主増幅器内部で構成される複数の増幅素子（この例においては２個の増幅素子）をフルに使用し、出力パワーが小さいときには、主増幅器内部で構成される複数の増幅素子のうちの一部の増幅素子（この例においては２個の増幅素子のうちの一方の増幅素子）に対する電源を“オフ”にするとともに、他方の増幅素子の入力端には入力端側に配置された分配器をバイパスして直接入力信号を与えるようにしている。
【００１５】
図１において示されるように、本発明の実施の形態のフィードフォワード型（その他、アダプティブプリディストーション型などの種々の増幅器にも適用可能である）の歪補償増幅器は、前置部１０と、歪検出ループ２０と、歪除去ループ３０と、制御ループ４０とから構成されている。前置部１０は、第１の方向性結合器１１と、前置増幅器１２とから構成されている。歪検出ループ２０は、第２，第３，第４の方向性結合器２１，２４，２６と、第１のベクトル調整器２２と、主増幅器２３と、第１の遅延ルート２５とから構成されている。歪除去ループ３０は、第２の遅延ルート３１と、第５の方向性結合器３２と、第２のベクトル調整器３３と、誤差増幅器３４とから構成されている。また、制御ループ４０は、第１，第２の検波器４１，４２と、パイロット信号送受信部４３と、メモリ４４ａを含む制御部４４とから構成されている。
【００１６】
図１に示されるように、前置部１０の入力端子ＥＮに入力された高周波信号は、第１の方向性結合器１１の端子Ｔ１に入力され、入力された高周波信号の大部分が端子Ｔ２に、残りが端子Ｔ３にそれぞれ出力される。この場合、第１の方向性結合器１１は、他の第２〜第５の方向性結合器２１，２４，２６，３２と同様な特性および図２に示すような構造を有している。すなわち、この方向性結合器は、端子Ｔ１，Ｔ２で終端される主線路ＭＬと、端子Ｔ３，Ｔ４で終端される副線路ＳＬとによって構成されている。主線路ＭＬと副線路ＳＬとの線路長はいずれも１／４波長（λ／４）になっている。高周波信号が端子Ｔ１から入力された場合には、大部分の高周波信号は端子Ｔ２から出力され、一部の高周波信号は端子Ｔ３から出力される。高周波信号が端子Ｔ２から入力された場合には、大部分の高周波信号は端子Ｔ１から出力され、残りの高周波信号は抵抗Ｒによって消費される。高周波信号が端子Ｔ３から入力された場合には、大部分の高周波信号は抵抗Ｒによって消費され、一部の高周波信号は端子Ｔ２から出力される。
【００１７】
第１の方向性結合器１１の端子Ｔ２から出力された高周波信号は、前置増幅器１２によって、予め決められた電力レベルまで増幅され、歪検出ループ２０に引き渡される。歪検出ループ２０においては、第２の方向性結合器２１が前置増幅器１２からの出力を端子Ｔ１から入力し、入力した高周波信号の大部分を端子Ｔ２に、残りを端子Ｔ３にそれぞれ出力する。第１のベクトル調整器２２は、第２の方向性結合器２１の端子Ｔ２から出力された高周波信号に対して制御部４４からの制御信号Ｐ１に基づくベクトル調整（第２の検波器４２のキャリア出力の検出が最小）を行う。
【００１８】
主増幅器２３は、第１のベクトル調整器２２の出力を受け取り、制御部４４からの制御信号Ｐ２に基づく内部切替を行って増幅を行う。この例においては、主増幅器２３は、図３に示されるように構成されており、スイッチング素子ＳＷ１〜ＳＷ４と、分配器ＤＶと、増幅素子ＡＭ１，ＡＭ２と、合成器ＣＭとを有する。この場合、スイッチング素子ＳＷ１〜ＳＷ４は、制御信号Ｐ２に基づいて連動して切り替えられる。図１に示される入力端子ＥＮに入力される高周波信号の入力レベルが高いときには、制御信号Ｐ２に基づき、スイッチング素子の切り替えが図３の表示とは逆にされる。すなわち、スイッチング素子ＳＷ１〜ＳＷ４の共通端子ｃは、全て接点ａに接続される。したがって、図３で示される主増幅器２３の入力端子Ｅに入力された高周波信号は、スイッチング素子ＳＷ１および分配器ＤＶを経由した後に、スイッチング素子ＳＷ２、増幅素子ＡＭ１、スイッチング素子ＳＷ３を経由して増幅される第１のルートと、増幅素子ＡＭ２を経由する第２のルートとを介してそれぞれ増幅された後に、合成器ＣＭで合成され、スイッチング素子ＳＷ４を経由して出力端子Ｘに出力される。
【００１９】
しかし、入力端子ＥＮに入力される高周波信号の入力レベルが低いときには、制御信号Ｐ２に基づき、図３の表示のように、スイッチング素子ＳＷ１〜ＳＷ４は、バイパスＢＰ１，ＢＰ２側に切り替え、制御部４４は、増幅素子ＡＭ２の電源供給を“オフ”にする。スイッチング素子ＳＷ１〜ＳＷ４の共通端子ｃは、全て接点ｂに接続されるので、入力端子Ｅに入力された高周波信号は、分配器ＤＶを経由せずに、スイッチング素子ＳＷ１，ＳＷ２を経由するバイパスＢＰ１を介して増幅素子ＡＭ１に直接入力される。増幅素子ＡＭ１による増幅の後に、合成器ＣＭをせずに、スイッチング素子ＳＷ３，ＳＷ４を経由するバイパスＢＰ２を介して出力端Ｘに出力される。このことから明らかなように、図１の入力端子ＥＮに入力される高周波信号の入力レベルが低いときには、図３の増幅素子ＡＭ１の入力端のレベルは、分配器ＤＶによる低下（この例では、３ｄＢ）を受けないだけ高くなり、増幅素子ＡＭ２の電力消費は無くなる。
【００２０】
主増幅器２３から出力される高周波信号は、第３の方向性結合器２４の端子Ｔ１に引き渡され、大部分は端子Ｔ２から歪除去ループ３０に出力され、残りは端子Ｔ３から第４の方向性結合器２６の端子Ｔ３に出力される。第２の方向性結合器２１の端子Ｔ３からの出力は、第１の遅延ルート２５に引き渡され、位相が１８０度変えられる。位相が１８０度変えられた高周波信号は、第４の方向性結合器２６の端子Ｔ２に引き渡される。第４の方向性結合器２６は、第３の方向性結合器２４から端子Ｔ３に供給された高周波信号と、端子Ｔ２に供給された位相が１８０度遅れた高周波信号との減算を行い、端子Ｔ１から高周波信号の歪成分のみを出力する。
【００２１】
上述の場合、制御ループ４０のパイロット信号送受信部４３が出力レベルを検出して主増幅器２３に信号ａを供給し、第３の方向性結合器２４の端子Ｔ３から第４の方向性結合器２６の端子Ｔ３へ供給する高周波信号の基本波成分を、第４の方向性結合器２６の端子Ｔ２に供給される１８０度位相の異なる高周波信号の基本波成分と同じになるように制御しているので、第４の方向性結合器２６では基本波成分は完全に相殺されて第４の方向性結合器２６の端子Ｔ１からは完全な歪成分のみが抽出される。このようにして、歪検出ループ３０では、一方のルートでは入力された高周波信号を増幅し、他方のルートでは歪成分のみを抽出している。そして、増幅された高周波信号を第３の方向性結合器２４の端子Ｔ２から出力し、歪成分を第４の方向性結合器２６の端子Ｔ１から出力し、増幅された高周波信号と歪成分をそれぞれ個別に歪除去ループ３０へ供給している。
【００２２】
歪除去ループ３０において、第４の方向性結合器２６の端子Ｔ１から出力された歪成分は、第２のベクトル調整器を経由して誤差増幅器３４に入力され増幅される。誤差増幅器３４によって増幅された歪成分は、第５の方向性結合器３２の端子Ｔ３に入力される。第３の方向性結合器２４の端子Ｔ２からの高周波信号は、第２の遅延ルート３１によって１８０度位相が変えられ、第５の方向性結合器３２の端子Ｔ２に入力される。したがって、歪成分は歪検出ループ２０の第１の遅延ルート２５によって位相が１８０度変えられ、増幅後の高周波信号は歪除去ループ３０の第２の遅延ルート３１によって位相が１８０度変えられているので、歪成分と、増幅後の高周波信号との位相合わせが行われていることとなる。
【００２３】
したがって、第５の方向性結合器３２においては、端子Ｔ２に入力された増幅後の高周波信号から端子Ｔ３に入力された歪成分の減算が行われる。この減算によって、第５の方向性結合器３２の端子Ｔ１からは、歪成分の除去された無歪に近い高周波信号が出力される。すなわち、歪除去ループ３０においては、前段の歪検出ループ２０によって抽出された歪成分のみの出力を増幅し、この増幅した歪成分によって、前段において増幅された高周波信号に含まれる歪成分を除去して無歪に近い高周波信号を出力している。なお、上述の例においては、主増幅器２３は、２個の増幅素子を有しているものとしたが、それ以上の増幅素子を有していてもよい。例えば、増幅素子ＡＭ２は、並列接続された複数の増幅素子であってもよい。
【００２４】
上記の例の制御部４４による主増幅器２３の制御について図４および図５を参照して説明する。制御部４４は、第１の検波器４１の検出する信号レベルを受け取り、その信号レベルに基づき、主増幅器２３が入力する信号レベルがメモリ４４ａに予め記憶している第１の閾値ｑ１（図５；例えば、１００）未満であるか否かを判断する（Ｓ１１）。入力信号レベルが閾値未満の場合には、各スイッチング素子ＳＷ１〜ＳＷ４の共通端子ｃを全て接点ｂに接続させ（Ｓ１２）、増幅素子ＡＭ２の電源を“オフ”にする。したがって、主増幅器２３は、入力信号を増幅素子ＡＭ１のみによって増幅することとなる。この場合、分配器ＤＶは、主増幅器２３から取り除かれた状態になるので、分配器ＤＶによる３ｄＢの利得ロスは無くなり、増幅素子ＡＭ２による電源消費も無くなる。
【００２５】
主増幅器２３が入力信号を増幅素子ＡＭ１のみによって増幅することになった場合、図５で示されるように、主増幅器２３による増幅は従来と同様（出力パワーは０〜Ｗ１）であるが、その電源効率は従来のように低下せずにＦ１〜Ｆ２で示されるように高い値を維持している。その後、入力信号レベルが第１の閾値ｑ１より大きな不図示の第２の閾値ｑ２（例えば、１２０）を超えているか否かを判断し（Ｓ１４）、１２０を超えていなければステップＳ１２に戻り、超えていれば、入力信号はバースト波であるか否かを判断する（Ｓ１５）。バースト波であれば、スイッチング素子ＳＷ１〜ＳＷ４の切り替えを行わずにステップ１２に戻る（電力消費を抑圧する）。なお、バースト波の検出方法としては、例えば、入力信号のＭａｘ値からＭｉｎ値を減算し、その結果が所定値ｘより大きい場合に、すなわち、レベル差が急峻な場合に、バースト波検出とする方法がある。
【００２６】
ステップＳ１５における判断において、バースト波でなければ、各スイッチング素子ＳＷ１〜ＳＷ４の共通端子ｃを全て接点ａに接続させ（Ｓ１６）、増幅素子ＡＭ２の電源供給を“オン”にし（Ｓ１７）、並列接続された２つの増幅素子ＡＭ１，ＡＭ２によって、入力信号を増幅する。また、上述のステップＳ１１において、入力信号レベルが閾値の１００より小さくないと判断されたときにもステップＳ１６に移行する。その後、制御動作が終了であるか否かを判断し（Ｓ１８）、終了であれば終了するが、そうでなければステップＳ１１に戻り同様な動作を繰り返す。
【００２７】
なお、上述のように、入力信号がバースト信号である場合に対応することを行わないで、電源効率を向上させることのみを目的とした場合には、その制御動作は、図６のフローチャートのようになる。すなわち、入力信号レベルが１００未満であるか否かを判断し（Ｓ２１）、１００未満であれば、スイッチング素子ＳＷ１〜ＳＷ４をバイパスＢＰ１，ＢＰ２側に設定し（Ｓ２２）、増幅素子ＡＭ２の電源供給を“オフ”にし（Ｓ２３）、終了であるか否かを判断し（Ｓ２４）、終了であれば終了するが、そうでなければ、ステップＳ２１に戻る。また、ステップＳ２１において、入力信号レベルが１００以上である場合には、スイッチング素子ＳＷ１〜ＳＷ４を分配器ＤＶおよび合成器側ＣＭ側に設定し（Ｓ２５）、増幅素子ＡＭ１，ＡＭ２の電源供給を“オン”にし（Ｓ２６）、ステップＳ２４に移行し、同様な動作を繰り返す。
【００２８】
【発明の効果】
本発明の歪補償増幅装置は、以上において説明したように構成されているので、入力信号レベルが第１の閾値を超えるような入力パワーが大きいときは、並列に配置された複数の増幅素子のそれぞれに分配器によって入力信号を分配し、分配された入力信号をそれぞれの増幅素子によって増幅するが、入力パワーが小さく入力信号レベルが第１の閾値を超えないとき、スイッチング素子は、複数の増幅素子のうちの一つを選択し、選択した増幅素子に対しては、前記分配器をバイパスして入力信号を与えるために、選択された増幅素子の入力段側における利得の低下を除去することができる。また、電源供給制御部は、スイッチング素子によって選択された増幅素子以外の増幅素子への電源供給を遮断するので電源消費を低減できる。さらに、入力信号がバースト信号の場合にも対応できるようにしてあるので、バースト信号を用いるシステムにも使用可能となっている。
【図面の簡単な説明】
【図１】本発明の歪補償増幅器の実施の形態を示すブロック図である。
【図２】図１の方向性結合器の構造および特性を説明するための図である。
【図３】図１の主増幅器を詳細に示すブロック図である。
【図４】図３で示される主増幅器の動作例を説明するためのフローチャートである。
【図５】図３で示される主増幅器の入力パワーと出力パワーとの関係、および、入力パワーと電源効率との関係を示すグラフである。
【図６】図３で示される主増幅器の他の動作例を説明するためのフローチャートである。
【図７】歪補償増幅器の従来例を示すブロック図である。
【図８】図６で示される主増幅器の入力パワーと出力パワーとの関係、および、入力パワーと電源効率との関係を示すグラフである。
【符号の説明】
１０  前置部、１１  第１の方向性結合器、１２  前置増幅器、２０  歪検出ループ、２１  第２の方向性結合器、２２  第１のベクトル調整器、２３  主増幅器、２４  第３の方向性結合器、２５  第１の遅延ルート、２６  第４の方向性結合器、３０  歪除去ループ、３１  第２の遅延ルート、３２  第５の方向性結合器、３３  第２のベクトル調整器、３４  誤差増幅器、４０  制御ループ、４１  第１の検波器、４２  第２の検波器、４３  パイロット信号送受信部、４４  メモリ、ＳＷ１〜ＳＷ４  スイッチング素子、ＡＭ１，ＡＭ２  増幅素子、ＢＰ１，ＢＰ２  バイパス、ＤＶ  分配器、ＣＭ  合成器。
【図１】
2004320668.tif 000003
【図２】
2004320668.tif 000004
【図３】
2004320668.tif 000005
【図４】
2004320668.tif 000006
【図５】
2004320668.tif 000007
【図６】
2004320668.tif 000008
【図７】
2004320668.tif 000009
【図８】
2004320668.tif 000010